(57)【要約】【課題】壁材として用いるコンクリート成形板２が押出成形品であっても型成形品であっても容易に適用することができ、しかも手間のかかる加工を施すことなく容易に施行できる断熱壁構造とする。【解決手段】コンクリート成形板２を構造躯体１に取り付けるためのセットボルト４の頭部に嵌合するキャップ部８を備えた断熱材取付冶具７ａを用い、断熱材取付冶具７ａの保持片９とコンクリート成形板２との間に断熱材６を挟み込んで保持した断熱壁構造とする。【選択図】図２
2009001976.tif 000002
【特許請求の範囲】
【請求項１】
構造躯体に取り付けられたコンクリート成形板の裏面側に板状の断熱材が取り付けられた断熱壁構造において、断熱材が断熱材取付冶具によって取り付けられていることを特徴とする断熱壁構造。
【請求項２】
断熱材取付冶具の一端側がコンクリート成形板又は構造躯体に取り付けられ、他端側が断熱材側へ突出した保持片となっており、断熱材が、断熱材取付冶具の保持片とコンクリート成形板との間に挟み込まれていることを特徴とする請求項１に記載の断熱壁構造。
【請求項３】
断熱材取付冶具が、中間部に、外側に凸に湾曲した状態から内側に凸に湾曲した状態へと弾性的に反転可能な弓状保持片を有し、しかも弓状保持片の両端に内側に伸びる脚部を有しており、この両脚部がそれぞれコンクリート成形板又は構造躯体に取り付けられていて、断熱材が、内側に凸に湾曲した状態の弓状保持片とコンクリート成形板との間に挟み込まれていることを特徴とする請求項１に記載の断熱壁構造。
【請求項４】
断熱材取付冶具が、両端がコンクリート成形板又は構造躯体に取り付けられたバンドで、断熱材が、このバンドとコンクリート成形板との間に挟み込まれていることを特徴とする請求項１に記載の断熱壁構造。
【請求項５】
断熱固定冶具が磁石を有していると共に、断熱材に磁性体又は磁石が取り付けられており、断熱材の磁性体又は磁石が断熱固定冶具の磁石に吸着されていることを特徴とする請求項１に記載の断熱壁構造。
【請求項６】
コンクリート成形板の構造躯体への取り付けが、コンクリート成形板にセットボルトで取り付けられたＺクリップを介して行われている一方、断熱材取付冶具のコンクリート成形板への取り付けが、セットボルトの頭部に嵌合するキャップ部をセットボルトの頭部に嵌合させることで行われていることを特徴とする請求項１〜５のいずれか１項に記載の断熱壁構造。
【請求項７】
コンクリート成形板の構造躯体への取り付けが、コンクリート成形板にセットボルトで取り付けられたＺクリップを介して行われている一方、断熱材取付冶具のコンクリート成形板への取り付けが、セットボルトの頭部を挟み付けるバネクリップでセットボルトの頭部を弾性的に挟み付けることで行われていることを特徴とする請求項１〜５のいずれか１項に記載の断熱壁構造。
【請求項８】
コンクリート成形板の構造躯体への取り付けが、コンクリート成形板にセットボルトで取り付けられたＺクリップを介して行われている一方、断熱材取付冶具のコンクリート成形板への取り付けが、Ｚクリップと共にセットボルトで締め付けることで行われていることを特徴とする請求項１〜５のいずれか１項に記載の断熱壁構造。
【請求項９】
断熱材取付冶具のコンクリート成形板への取り付けが、コンクリート成形板間の継ぎ目への挟み込みによって行われていることを特徴とする請求項１〜５のいずれか１項に記載の断壁熱構造。
【請求項１０】
コンクリート成形板の構造躯体への取り付けが、構造躯体に取り付けられた通しアングルを、コンクリート成形板と当該コンクリート成形板に取り付けられたＺクリップとの間に挟み込むことで行われており、断熱材取付冶具の構造躯体への取り付けが、Ｚクリップと通しアングル間への挟み込みによって行われていることを特徴とする請求項１〜５のいずれか１項に記載の断壁熱構造。
【請求項１１】
構造躯体に取り付けられたコンクリート成形板の裏面側に板状の断熱材が取り付けられた断熱壁の施工方法において、断熱材を断熱材取付冶具を用いて取り付けることを特徴とする断熱壁の施工方法。
【請求項１２】
断熱材取付冶具を、コンクリート成形板を構造躯体に取り付けるためのＺクリップ及びセットボルトの一部を利用してコンクリート成形板又は構造躯体に取り付けることを特徴とする請求項１１に記載の断熱壁の施工方法。
【請求項１３】
断熱固定冶具を、コンクリート成形板間の継ぎ目へ挟み込ませることでコンクリート成形板に取り付けることを特徴とする請求項１１に記載の断熱壁の施工方法。
【発明の詳細な説明】
【技術分野】
【０００１】
本発明は、鉄骨などの構造躯体に、例えば中空押出成形コンクリート板、軽量気泡コンクリート板（ＡＬＣ板）、プレキャストコンクリート板（ＰＣ板）、ガラス繊維強化セメント板（ＧＲＣ板）などのコンクリート成形板を壁材として取り付けた壁に適用される断熱壁構造及び断熱壁の施工方法に関する
【背景技術】
【０００２】
従来、構造躯体に取り付けたアングルに、短冊状の金属片の中央部に１段の段差を形成したＺクリップを用いて中空押出コンクリート成形板を取り付けた壁において、中空押出コンクリート成形板の内面側に断面逆台形状に突出した凸条を形成しておくと共に、板状断熱材の表面にも、この凸条と嵌まり合う断面逆台形状の凹溝を形成しておき、前記凸条と凹溝を嵌め合わせることで、中空押出コンクリート成形板の内面に断熱材を取り付けた断熱壁構造が知られている（例えば、特許文献１参照）。
【０００３】
【特許文献１】特開２００７−９２２９０号公報
【発明の開示】
【発明が解決しようとする課題】
【０００４】
しかしながら、上記従来の断熱壁構造の場合、壁材とするコンクリート成形板に逆テーパ面を有する凸条を形成しなければならないことから、押出成形したコンクリート成形板が適用対象で、型成形したコンクリート成形板には適用しにくい問題がある。また、建物の大きさや構造上、使用する総てのコンクリート成形板について凸条の間隔を同じにすることは困難で、この凸条の間隔に合わせて断熱材に凹溝を形成し、各断熱材の凹溝を、間隔が一致する凸条と嵌め合わせなければならず、加工に手間がかかる問題もある。
【０００５】
本発明は、上記従来の問題点に鑑みてなされたもので、壁材として用いるコンクリート成形板が押出成形品であっても型成形品であっても容易に適用することができ、しかも手間のかかる加工を施すことなく容易に施行できる断熱壁構造及び断熱壁の施行方法を提供することを目的とする。
【課題を解決するための手段】
【０００６】
本発明は、構造躯体に取り付けられたコンクリート成形板の裏面側に板状の断熱材が取り付けられた断熱壁構造において、断熱材が断熱材取付冶具によってコンクリート成形板に取り付けられていることを特徴とする断熱壁構造を提供するものである。
【０００７】
上記本発明に係る断熱壁構造は、断熱材の好ましい取り付け態様として、
断熱材取付冶具の一端側がコンクリート成形板又は構造躯体に取り付けられ、他端側が断熱材側へ突出した保持片となっており、断熱材が、断熱材取付冶具の保持片とコンクリート成形板との間に挟み込まれていること、
断熱材取付冶具が、中間部に、外側に凸に湾曲した状態から内側に凸に湾曲した状態へと弾性的に反転可能な弓状保持片を有し、しかも弓状保持片の両端に内側に伸びる脚部を有しており、この両脚部がそれぞれコンクリート成形板又は構造躯体に取り付けられていて、断熱材が、内側に凸に湾曲した状態の弓状保持片とコンクリート成形板との間に挟み込まれていること、
断熱材取付冶具が、両端がコンクリート成形板又は構造躯体に取り付けられたバンドで、断熱材が、このバンドとコンクリート成形板との間に挟み込まれていること、
断熱固定冶具が磁石を有していると共に、断熱材に磁性体又は磁石が取り付けられており、断熱材の磁性体又は磁石が断熱固定冶具の磁石に吸着されていること、
を含むものである。
【０００８】
また、本発明に係る断熱壁構造は、断熱材取付冶具の好ましい取り付け態様として、
コンクリート成形板の構造躯体への取り付けが、コンクリート成形板にセットボルトで取り付けられたＺクリップを介して行われている一方、断熱材取付冶具のコンクリート成形板への取り付けが、セットボルトの頭部に嵌合するキャップ部をセットボルトの頭部に嵌合させることで行われていること、
コンクリート成形板の構造躯体への取り付けが、コンクリート成形板にセットボルトで取り付けられたＺクリップを介して行われている一方、断熱材取付冶具のコンクリート成形板への取り付けが、セットボルトの頭部を挟み付けるバネクリップでセットボルトの頭部を弾性的に挟み付けることで行われていること、
コンクリート成形板の構造躯体への取り付けが、コンクリート成形板にセットボルトで取り付けられたＺクリップを介して行われている一方、断熱材取付冶具のコンクリート成形板への取り付けが、Ｚクリップと共にセットボルトで締め付けることで行われていること、
断熱材取付冶具のコンクリート成形板への取り付けが、コンクリート成形板間の継ぎ目への挟み込みによって行われていること、
コンクリート成形板の構造躯体への取り付けが、構造躯体に取り付けられた通しアングルを、コンクリート成形板と当該コンクリート成形板に取り付けられたＺクリップとの間に挟み込むことで行われており、断熱材取付冶具の構造躯体への取り付けが、Ｚクリップと通しアングル間への挟み込みによって行われていること、
を含むものである。
【０００９】
更に本発明は、構造躯体に取り付けられたコンクリート成形板の裏面側に板状の断熱材が取り付けられた断熱壁の施工方法において、断熱材を断熱材取付冶具を用いて取り付けることを特徴とする断熱壁の施工方法を提供するものでもある。
【００１０】
上記本発明に係る断熱壁の施工方法は、断熱材取付冶具を、コンクリート成形板を構造躯体に取り付けるためのＺクリップ及びセットボルトの一部を利用してコンクリート成形板又は構造躯体に取り付けること、
断熱固定冶具を、コンクリート成形板間の継ぎ目へ挟み込ませることでコンクリート成形板に取り付けること、
をその好ましい態様として含むものである。
【発明の効果】
【００１１】
本発明においては、断熱材の取り付けが断熱材取付冶具で行われるので、コンクリート成形板及び断熱材にほとんど事前加工を施すことなく取り付け作業を行うことができる。特に従来のようにコンクリート成形板に凸条を形成しておく必要がないので、コンクリート成形板が押出成形品であるか型成形品であるかを問わず適用することができる。
【００１２】
本発明における断熱材取付冶具には種々の態様のものを使用することができるが、保持片、弓状保持片又はバンドとコンクリート成形板との間に断熱材を挟み込むものとしたり、磁石の吸引力で断熱材を保持するものとすると、簡単な構造の断熱材取付冶具で容易に断熱材の取り付けを行うことができる。
【００１３】
また、断熱材取付冶具を、コンクリート成形板を構造躯体に取り付けるためのＺクリップやそのセットボルトの一部を利用してコンクリート成形板や構造躯体に取り付けることができるようにしたり、コンクリート成形板間の継ぎ目へ挟み込ませることでコンクリート成形板に取り付けることができるようにすると、他の部品を用意することなく容易に断熱材取付冶具の取り付けを行うことができる。
【発明を実施するための最良の形態】
【００１４】
以下、図面に基づいて本発明を更に説明する。
【００１５】
図１は本発明に係る断熱壁構造の第１の例を示す断面図、図２は図１に示される断熱材の取り付け時の説明断面図、図３は図１に示される断熱壁構造に用いられている断熱材取付冶具（第１の例に係る断熱材取付冶具）の側面図、図４は図３に示される断熱材取付冶具の平面図である。
【００１６】
図１において、１は例えばＨ形鋼などの構造躯体、２は壁材であるコンクリート成形板である。
【００１７】
コンクリート成形板２としては、例えば中空押出成形コンクリート板、軽量気泡コンクリート板（ＡＬＣ板）、プレキャストコンクリート板（ＰＣ板）、ガラス繊維強化セメント板（ＧＲＣ板）などであって、押出成形品と型成型品のいずれであってもよい。また、中空成形品であっても中実成形品であってもよい。
【００１８】
コンクリート成形板２の裏面（壁の内側面）には、中央部を横断して段差を形成した短冊状金属片であるＺクリップ３がセットボルト４（図２参照）によって取り付けられている。Ｚクリップ３は、中央の段差を境にして一端側にボルト孔（図示されていない）が貫通している。そして、Ｚクリップ３は、一端側のボルト孔にセットボルト４を差し込んでコンクリート成形板２へねじ込むことで、他端側がコンクリート成形板２より若干浮き上がった状態でコンクリート成形板２に取り付けられている。
【００１９】
構造躯体１には、熔接などにより、通し（下地）アングル５が取り付けられている。通しアングル５は、断面Ｌ字型をなす長尺鋼材で、縦片（横片）が構造躯体１に固着され、横片（縦片）が構造躯体１から外方に突き出すように取り付けられている。構造躯体１から外方に突き出ている通しアングル５の横片（縦片）は、コンクリート成形板２より若干浮き上がったＺクリップ３の前記他端側とコンクリート成形板２との間に挟み込まれており、これによってコンクリート成形板２が構造躯体１に取り付けられている。
【００２０】
Ｚクリップ３は、コンクリート成形板２の両側に沿って適宜の間隔で設けられており、この両側のＺクリップ３間には断熱材６が取り付けられている。
【００２１】
断熱材６は板状をなすもので、合成樹脂発泡板が好ましい。合成樹脂発泡板としては、例えばポリスチレン発泡板、ポリエチレン発泡板、ポリウレタン発泡板などを用いることができるが、特に吸湿しにくく、耐久性および断熱性に優れることから、ポリスチレン発泡板が好ましい。
【００２２】
本例における断熱材６は、断熱材取付冶具７ａによってコンクリート成形板２の裏面側に取り付けられているもので、この断熱材取付冶具７ａについて説明する。
【００２３】
図３及び図４に明示されているように、本例における断熱材取付冶具７ａは、一端側のキャップ部８と他端側の保持片９とを連結部１０及び連結片１１を介して連結したものとなっている。キャップ部８は、下向きに開口した嵌合孔１２を有している。この嵌合孔１２は、前記セットボルト４の頭部ときつく嵌まり合う大きさとなっている。また、保持片９と連結片１１は逆Ｌ字型に連なっており、縦片が連結部１０でキャップ部８と結合された連結片１１で、横片がキャップ部８とは逆方向に突出した保持片９となっている。
【００２４】
図１及び図２に示されるように、本例の断熱材取付冶具７ａは、嵌合孔１２を有するキャップ部８をセットボルト４の頭部に被せて嵌合させることでコンクリート成形板２に取り付けられるものとなっている。断熱材取付冶具７ａは、保持片９が断熱材６上に突出した状態で取り付けられるもので、保持片９とコンクリート成形板２との間に断熱材６を挟み込んで保持するものとなっている。
【００２５】
本例における断熱材６は、上記のようにして断熱材取付冶具７ａによって取り付けられているため、断熱材取付冶具７ａを用意するだけで、コンクリート成形板２や断熱材６に特別な加工を施しておくことなく断熱材６の取り付けを行うことができる。
【００２６】
図５は第２の例に係る断熱材取付冶具の側面図、図６は図５に示される断熱材取付冶具の平面図である。なお、図５及び図６において、図３及び図４と同じ符号は同様の部材又は部位を示す。
【００２７】
本例の断熱材取付冶具７ｂは、基本的構成は図３及び図４で説明した第１の例に係る断熱材取付冶具７ａと同様であるが、第１の例に係る断熱材取付冶具７ａにおけるキャップ部８に代えてバネクリップ１３が設けられたものとなっている。このバネクリップ１３は、開環状の板バネ材で、弾性的に押し広げながらセットボルト４の頭部に嵌め込むことで、セットボルト４の頭部を弾性的に挟み付けるものとなっている。この第２の例に係る断熱材取付冶具７ｂは、当該断熱材取付冶具７ｂのコンクリート成形板３への取り付けが、バネクリップ１３でセットボルト４の頭部を弾性的に挟み付けることで行われること以外は前記第１の例に係る断熱材取付冶具７ａと同様である。
【００２８】
図７は本発明に係る断熱壁構造の第２の例を示す断面図、図８は図７に示される断熱壁構造に用いられている断熱材取付冶具（第３の例に係る断熱材取付冶具）の側面図、図９は図８に示される断熱材取付冶具の平面図である。なお、図７〜図９において、図１〜図４と同じ符号は同様の部材又は部位を示す。
【００２９】
図７に示される断熱壁構造は、図８及び図９に示される第３の例に係る断熱材取付冶具７ｃを用いて断熱材６を取り付けた例である。本例における断熱材取付冶具７ｃは、図８に示すように、金属片の一端側を上方へ屈曲させて立ち上げ、この立ち上げた先端側を外方へ水平に屈曲させたもので、一端側の横片である取付片１４と他端側の横片である保持片９とを、縦片である連結片１１でつないだ構造となっている。また、取付片１４の中央部分には、セットボルト４を差し込むボルト孔１５が貫通している。この断熱材取付冶具７ｃのコンクリート成形板２への取り付けは、Ｚクリップ３の取り付け時にＺクリップ３上に断熱材取付冶具７ｃの取付片１４を重ね、取付片１４のボルト孔１５とＺクリップ３のボルト孔（図持されていない）の両者にセットボルト４を通して締め付けることで行われる。また、断熱材６が、保持片９とコンクリート成形板２との間に挟み込まれて保持される点は前述した第１及び第２の例に係る断熱材取付冶具７ａ，７ｂを用いた場合と同様である。
【００３０】
図１０は本発明に係る断熱壁構造の第３の例を示す断面図、図１１は図１０に示される断熱壁構造に用いられている断熱材取付冶具（第４の例に係る断熱材取付冶具）の斜視図である。なお、図１０及び図１１において、図１〜図４と同じ符号は同様の部材又は部位を示す。
【００３１】
図１０に示される断熱壁構造は、図１１に示される第４の例に係る断熱材取付冶具７ｄを用いて断熱材６を取り付けた例である。本例における断熱材固定具７ｄは、Ｔ字形に金属片を接合し、横片を保持片９とすると共に、縦片の先端を横方向に屈曲させて屈曲片１６とし、縦片の中間部に屈曲辺側に突出した補助片１７を接合した構造となっている。この断熱材取付冶具７ｄは、コンクリート成形板２の設置時に、補助片１７より屈曲片１６側である一端側を、コンクリート成形板２同士の継ぎ目へ挟み込ませることでコンクリート成形板２へ取り付けられるものとなっている。また、他端側に設けられた保持片９は、第１〜第３の例に係る断熱材取付冶具７ａ〜７ｃの保持片９と同様に、断熱材６をコンクリート成形板２との間に挟み付けて保持するものとなっている。
【００３２】
図１０に示されるように、コンクリート成形板２，２同士の連結は、凹凸の嵌め合わせ（実接ぎ）によって行われるのが通常である。この場合、屈曲片１６を設けて、凹凸の嵌め合わせ部分にこの屈曲片１６を挟み込ませると、断熱材取付冶具７ｄの取り付け状態が安定するので好ましい。また、補助片１７を設けてコンクリート成形板２に当接させておくと、やはり断熱材取付冶具７ｄの取り付け状態が安定するので好ましい。
【００３３】
補助片１７と屈曲片１６間の縦片はコンクリート成形板２，２間に挟み込まれるが、この位置に弾性的に圧縮可能な板バネ部材１８を取り付けておくと、強く挟み付けやすくなるので好ましい。また、補助片１７と保持片９間の縦片にはＶ形の切り込みを入れ、切り込みの内側を引き出して三角形状の突出部１９を形成しておくと、この部分に当接する断熱材６の端面を突き刺すことができ、断熱材６の取り付け状態が安定しすくなるので好ましい。
【００３４】
図１２は本発明に係る断熱壁構造の第４の例を示す断面図、図１３は図１２に示される断熱壁構造に用いられている断熱材取付冶具（第５の例に係る断熱材取付冶具）の側面図である。なお、図１２及び図１３において、図１〜図４と同じ符号は同様の部材又は部位を示す。
【００３５】
図１２に示される断熱壁構造は、図１３に示される第５の例に係る断熱材取付冶具７ｅを用いて断熱材６を取り付けた例である。本例における断熱材固定具７ｅは、中間部に、外側に凸に湾曲した状態（図中破線で示される状態）から内側に凸に湾曲した状態へと弾性的に反転可能な弓状保持片２０を有している。この弓状保持片２０の両端には、内側（断熱材６側）に伸びる脚部２１，２１が設けられている。脚部２１，２１の先端は、外方に屈曲されて取付片１４となっている。また、取付片１４の中央部分には、セットボルト４を差し込むボルト孔１５が貫通している。
【００３６】
本例の断熱材取付冶具７ｅのコンクリート成形板２への取り付けは、Ｚクリップ３の取り付け時にＺクリップ３上に断熱材取付冶具７ｅの取付片１４を重ね、取付片１４のボルト孔１５とＺクリップ３のボルト孔（図持されていない）の両者にセットボルト４を通して締め付けることで行われる。また、断熱材６の取り付けは、弓状保持片２０が外方に凸に湾曲した状態で、弓状保持片２０とコンクリート成形板２の間に断熱材６を差し込み、弓状保持片２０を内側に凸に湾曲した状態に反転させることで行うことができる。この反転により、断熱材６は、弓状保持片２０とコンクリート成形板２間に挟み込まれて保持されることになる。
【００３７】
本例の断熱材取付冶具７ｅのコンクリート成形板２への取り付けは、例えば第１の例に係る断熱材取付冶具７ａにおけるキャップ部８や第２の例に係る断熱材取付冶具７ｂにおけるバネクリップ１３を各脚部２１，２１に一体に取り付けておくことで、第１又は第２の例に係る断熱材取付冶具７ａ，７ｂのように、キャップ部８やバネクリップ１３で行うこともできる。また、各脚部２１，２１を延長すると共に、それぞれの先端を屈曲させて、図１０及び図１１に示されるような屈曲部１６とすると共に、補助片１７を接合し、第４の例に係る断熱材取付冶具７ｄと同様に、コンクリート成形板２，２間の継ぎ目に挟み込ませることで取り付けられるようにすることもできる。
【００３８】
以上説明したような断熱壁構造の他に、例えばバンドの両端をコンクリート成形板に取り付け、バンドとコンクリート成形板の間に断熱材を挟み込んで保持した構造とすることもできる。この場合のバンド両端のコンクリート成形板への取り付けは、バンドの両端に、前述した第５の例に係る断熱材取付冶具における脚部と同様の部材を取り付けておくことで行うことができる。つまり、第５の例に係る断熱材取付冶具における脚部のコンクリート成形板への取付構造を利用することができる。
【００３９】
また、磁石を有する断熱固定冶具を第１〜第４の例に係る断熱材取付冶具と同様にしてコンクリート成形板に取り付ける一方、断熱材に磁性体又は磁石を取り付けておき、断熱材の磁性体又は磁石を断熱固定冶具の磁石に吸着することで、断熱材を保持した構造とすることもできる。
【００４０】
以上説明した例はいずれも断熱材取付冶具をコンクリート成形板に取り付けた例となっているが、断熱材取付冶具を構造躯体に取り付けた構造とすることもできる。断熱材取付冶具の構造躯体への取付は、例えば断熱材取付冶具の一部を、Ｚクリップと通しアングル間へ挟み込ませた状態でセットボルトを締め付けることで行うことができる。また、熔接やビス止めなどで行うこともできる。
【図面の簡単な説明】
【００４１】
【図１】本発明に係る断熱壁構造の第１の例を示す断面図である。
【図２】図１に示される断熱材の取り付け時の説明断面図である。
【図３】図１に示される断熱壁構造に用いられている断熱材取付冶具（第１の例に係る断熱材取付冶具）の側面図である。
【図４】図３に示される断熱材取付冶具の平面図である。
【図５】第２の例に係る断熱材取付冶具の側面図である。
【図６】図５に示される断熱材取付冶具の平面図である。
【図７】本発明に係る断熱壁構造の第２の例を示す断面図である。
【図８】図７に示される断熱壁構造に用いられている断熱材取付冶具（第３の例に係る断熱材取付冶具）の側面図である。
【図９】図８に示される断熱材取付冶具の平面図である。
【図１０】本発明に係る断熱壁構造の第３の例を示す断面図である。
【図１１】図１０に示される断熱壁構造に用いられている断熱材取付冶具（第４の例に係る断熱材取付冶具）の斜視図である。
【図１２】本発明に係る断熱壁構造の第４の例を示す断面図である。
【図１３】図１２に示される断熱壁構造に用いられている断熱材取付冶具（第５の例に係る断熱材取付冶具）の側面図である。
【符号の説明】
【００４２】
１  構造躯体
２  コンクリート成形板
３  Ｚクリップ
４  セットボルト
５  通しアングル
６  断熱材
７ａ〜７ｅ  断熱材取付冶具
８  キャップ部
９  保持片
１０  連結部
１１連結片
１２  嵌合孔
１３  バネクリップ
１４取付片
１５  ボルト孔
１６  屈曲片
１７  補助片
１８  板バネ部材
１９  突出部
２０  弓状保持片
２１  脚部
【図１】
2009001976.tif 000003
【図２】
2009001976.tif 000004
【図３】
2009001976.tif 000005
【図４】
2009001976.tif 000006
【図５】
2009001976.tif 000007
【図６】
2009001976.tif 000008
【図７】
2009001976.tif 000009
【図８】
2009001976.tif 000010
【図９】
2009001976.tif 000011
【図１０】
2009001976.tif 000012
【図１１】
2009001976.tif 000013
【図１２】
2009001976.tif 000014
【図１３】
2009001976.tif 000015